(57)【要約】【課題】既存の屋根の上に新たな屋根を設けるための屋根の改修金具を提供する。【解決手段】改修金具１０は、既存の屋根材２の上に新設の屋根材３０を設けるための屋根の改修金具である。既存の屋根材２は、屋根の下地材４に固定された支持金具６によって支持されている。支持金具６は、既存の屋根材２の上面から突出している棒状の突出部８を有する。改修金具１０は、支持金具６の棒状の突出部８を挟むための挟持部材１１と、挟持部材１１に結合され、新設の屋根材３０を固定するための屋根固定部材１５とを有する。【選択図】図１
2015071876.tif 000002
【特許請求の範囲】
【請求項１】
既存の屋根材の上に新設の屋根材を設けるための屋根の改修金具であって、
該既存の屋根材は、屋根の下地材に固定された支持金具によって支持され、該支持金具は、該既存の屋根材の上面から突出している棒状の突出部を有し、
該改修金具は、
該支持金具の該突出部を挟むための挟持部材と、
該挟持部材に結合され、該新設の屋根材を固定するための屋根固定部材と
を有する、改修金具。
【請求項２】
前記挟持部材は、
前記支持金具の前記突出部の両側に配置された一対の側片と、
該一対の側片の下端部に設けられた一対の突出片であって、該一対の突出片のそれぞれは、互いに対向する方向に突出している、一対の突出片と
を有し、
該一対の側片に通した締結具を締付けることによって該一対の突出片によって該支持金具の該突出部が挟持される、請求項１に記載の屋根の改修金具。
【請求項３】
前記一対の突出片のそれぞれは、前記支持金具の前記突出部を受け入れる凹部を有する、請求項１または２に記載の屋根の改修金具。
【請求項４】
前記支持金具は、柱状のボルトである、請求項１から３のいずれか一項に記載の屋根の改修金具。
【請求項５】
前記既存の屋根材は、山部と谷部とを有する折板屋根材であり、
前記改修金具は、該既存の折板屋根材の該山部の上に載置される荷重支持片をさらに有する、請求項１から４のいずれか一項に記載の屋根の改修金具。
【請求項６】
前記既存の屋根材は、山部と谷部とを有する折板屋根材であり、
前記改修金具は、該既存の折板屋根材の該山部の傾斜面上に載置される脚部材をさらに有する、請求項１から５のいずれか一項に記載の屋根の改修金具。
【発明の詳細な説明】
【技術分野】
【０００１】
本発明は、既存の屋根の上に新たな屋根を設けるための屋根の改修金具に関し、特に既存の折板屋根の上に新設の折板屋根を設けるための折板屋根の改修金具に関する。
【背景技術】
【０００２】
従来より、既存の屋根の上に新たな屋根を設けることによって、既存の屋根を改修することが行われている。
【０００３】
例えば、特許文献１には、梁、母屋等の屋根の下地材の上に固定されたタイトフレームを利用して、新設の屋根材を固定する方法が開示されている。
【０００４】
この方法は、次のとおりである。
【０００５】
図８に示されるように、屋根の下地材４の上に、タイトフレーム４２が固定されている。このタイトフレーム４２は、山部４３と谷部４４とを有する。山部４３にはボルト４５が立設されている。
【０００６】
タイトフレーム４２の上に既存の折板屋根材２を載置し、タイトフレーム４２に固定されたボルト４５にナットなどの締結具５３を締結することによって、折板屋根材２の山部４３が固定されている。
【０００７】
既存の屋根の上に新設の屋根を設けるために、既存の折板屋根材２における山部４３の上に改修金具４６を配置すると共に、山部４３の傾斜面に改修金具４６の脚部４９を載置し、ビスなどの固着具４７を脚部４９から既存の折板屋根材２に通すことによってタイトフレーム４２に脚部４９を固着する。その後、改修金具４６に設けられている剣先ボルト５０にナットなどの締結具を用いて新設の折板屋根材３０を固定する。
【先行技術文献】
【特許文献】
【０００８】
【特許文献１】特開平８−４２０７０号公報
【発明の概要】
【発明が解決しようとする課題】
【０００９】
しかし、屋根の下地材４上にタイトフレーム４２を固定するスペースがない場合は、図９に示されるように、柱状の支持金具４８を下地材４に固定し、支持金具４８の先端に設けられたボルト５１を利用して新設の屋根材が取り付けられる場合がある。そのような場合には、支持金具４８のボルト５１の先端に改修金具をナットなどの締結具にて固定し、この改修金具に設けた剣先ボルトに新たな折板屋根材を配置し、ナットなどの締結具を締結することにより新たな折板屋根材が改修金具に固定される。
【００１０】
ボルト５１のネジ溝（タップ）が機能する場合には、ボルト５１に締結具を締結することで改修金具を固定することができ、新たな折板屋根材を固定することができる。しかし、ボルト５１は、長期間、屋外に暴露した状態であるので、ボルト５１のタップが機能しない場合がある。この場合には、新たな折板屋根材を固定することができない。
【００１１】
本発明は、上記課題を解決するためになされたものであり、ボルト５１のタップが機能しない場合でも、既存の屋根の上に新たな屋根を設けることを可能にする屋根の改修金具を提供することを目的とする。
【課題を解決するための手段】
【００１２】
本発明の屋根の改修金具は、既存の屋根材の上に新設の屋根材を設けるための屋根の改修金具であって、該既存の屋根材は、屋根の下地材に固定された支持金具によって支持され、該支持金具は、該既存の屋根材の上面から突出している棒状の突出部を有し、該改修金具は、該支持金具の該突出部を挟むための挟持部材と、該挟持部材に結合され、該新設の屋根材を固定するための屋根固定部材とを有する。これにより、上記目的を達成する。
【００１３】
前記挟持部材は、前記支持金具の前記突出部の両側に配置された一対の側片と、該一対の側片の下端部に設けられた一対の突出片であって、該一対の突出片のそれぞれは、互いに対向する方向に突出している、一対の突出片とを有し、該一対の側片に通した締結具を締付けることによって該一対の突出片によって該支持金具の該突出部が挟持されてもよい。
【００１４】
前記一対の突出片のそれぞれは、前記支持金具の前記突出部を受け入れる凹部を有してもよい。
【００１５】
前記支持金具は、柱状のボルトであってもよい。
【００１６】
前記既存の屋根材は、山部と谷部とを有する折板屋根材であり、前記改修金具は、該既存の折板屋根材の該山部の上に載置される荷重支持片をさらに有してもよい。
【００１７】
前記既存の屋根材は、山部と谷部とを有する折板屋根材であり、前記改修金具は、該既存の折板屋根材の該山部の傾斜面上に載置される脚部材をさらに有してもよい。
【発明の効果】
【００１８】
本発明によれば、屋根の改修金具が、既存の屋根材の上面から突出している支持金具の棒状の突出部を挟むための挟持部材と、挟持部材に結合され、新設の屋根材を固定するための屋根固定部材とを有するため、支持金具の棒状の突出部のタップ（ネジ溝）が機能しない場合でも、挟持部材が支持金具の棒状の突出部を挟むことによって改修金具を支持金具の突出部に確実に固定することができ、改修金具の屋根固定部材に新設の屋根材を固定することができる。
【図面の簡単な説明】
【００１９】
【図１】本発明の一実施例の屋根の改修金具の取付状態を示す概略断面図である。
【図２】図１に示す屋根の改修金具の取付状態を示す側面図である。
【図３】図１に示す屋根の改修金具の斜視図である。
【図４】図４（ａ）および図４（ｂ）は、図１に示す屋根の改修金具の正断面図および側面図である。
【図５】図５（ａ）、図５（ｂ）および図５（ｃ）は、図１に示す屋根の改修金具の挟持部材の正面図、側面図および底面図である。
【図６】図６（ａ）および図６（ｂ）は、図１に示す屋根の改修金具の脚部材の側面図および正面図である。
【図７】屋根の改修金具の作用説明図である。
【図８】従来の屋根の改修金具の取付状態を示す断面図である。
【図９】従来の柱状の支持金具を用いた取付け状態を示す概略図である。
【発明を実施するための形態】
【００２０】
以下、本発明の実施の形態について図面を参照しながら詳細に説明する。
【００２１】
図１および図２は、既存の折板屋根材２の上に本発明の屋根の改修金具１０を固定し、その改修金具１０の上に新設の折板屋根材３０を固定した状態を示している。
【００２２】
本実施形態では、母屋や梁など屋根の下地材４上に支持金具６が固定され、この支持金具６上に既存の折板屋根材２が固定されている。このような固定方法は、例えば、屋根の下地材４にタイトフレームを固定するスペースがない場合などに適用される。
【００２３】
既存の折板屋根材２は、屋根の流れ方向（軒棟方向）に長い山部３２と谷部３３とが交互に繰り返す断面波形を有するように形成されている。このような既存の折板屋根材２は、例えば、カラー鋼板やステンレス鋼板などの金属板を折り曲げ加工などすることによって形成される。
【００２４】
支持金具６は、既存の折板屋根材２を支持するための金具であり、屋根の下地材４の上に溶接などによって固定されている。支持金具６は、既存の折板屋根材２の上面から突出している棒状の突出部８を有している。図１に示される例では、支持金具６は、柱状の支持部９と、支持部９の上部に形成された円板状の載置部７と、載置部７上に突設されたボルト８とを有する。この例では、このボルト８が、既存の折板屋根材２の上面から突出している棒状の突出部８として機能する。支持金具６は、例えば、（株）サカタ製作所製のランドマンボルトのような柱状のボルトである。
【００２５】
なお、支持金具６は、棒状の鋼材で形成される必要はない。例えば、支持金具６は、帯状鋼板を折り曲げ、折り曲げ片の上端部にボルトを設けることによっても形成され得る。
【００２６】
支持金具６の載置部７上に既存の折板屋根材２の山部３２が配置され、パッキン、座金、ボルトに螺合したナットなどの締結具２６によって折板屋根材２は載置部７上に固定されている。
【００２７】
屋根の改修金具１０は、既存の折板屋根材２の上面から突出している支持金具６の棒状の突出部８に固定され、この改修金具１０の上に新設の折板屋根材３０が固定される。
【００２８】
屋根の改修金具１０は、図３〜図６に示されるように、支持金具６の棒状の突出部８を挟むための挟持部材１１と、挟持部材１１に結合され、新設の折板屋根材３０を固定するための屋根固定部材１５とを有する。
【００２９】
図３〜図６に示される例では、挟持部材１１は、上片１２を有する。挟持部材１１は、上片１２の両端部から下方の斜め外方に垂設された一対の側片１３、１３をさらに有する。挟持部材１１は、一対の側片１３、１３の下端部に設けられた一対の突出片１４、１４をさらに有する。一対の突出片１４、１４のそれぞれは、互いに対向する方向に突出している。挟持部材１１は、例えば、帯状の金属板をプレス加工することによって形成され得る。
【００３０】
突出片１４は、側片１３の下端からやや上向きに傾斜している。突出片１４の先端には、ボルト８を受け入れるための凹部１７が形成されている。凹部１７の形状としては、突出片１４の先端縁を矩形状やＶ字状に切り欠いた形状とすることができる。
【００３１】
一対の突出片１４、１４の先端の対向する位置に一対の凹部１７、１７が形成されている。一対の凹部１７、１７内にボルト８を収容することにより、支持金具６に対して改修金具１０を位置決めすることができる。
【００３２】
挟持部材１１は、上片１２の上面に設けられた剣先ボルト１５をさらに有する。剣先ボルト１５は、上方に向かって突出している。剣先ボルト１５は、上片１２に溶接などによって固定されてもよく、あるいは、上片１２に通孔を設け、上片１２の下面側から通孔に剣先ボルト１５を通しナットにて上片１２に締結されるようにしてもよい。この例では、剣先ボルト１５が新設の折板屋根材３０を固定するための屋根固定部材１５として機能する。
【００３３】
挟持部材１１のそれぞれの側片１３にはボルトなどの締結具１９を通すための通孔１８が形成されている。通孔１８の数および位置は限定されない。図３〜図６に示される例では、それぞれの側片１３に２つの通孔１８、１８が横に並んだ状態で形成されている。通孔１８、１８は、通孔１８、１８にそれぞれ通した締結具１９、１９がボルト８を両側から挟むような位置に形成されている。
【００３４】
屋根の改修金具１０は、既存の折板屋根材２における山部３２の傾斜面上に載置される脚部材２０をさらに有していてもよい。
【００３５】
脚部材２０は、帯状の金属板をプレス加工することによって形成され得る。脚部材２０は、挟持部材１１のそれぞれの側片１３の外側に設けられている。脚部材２０は、溶接などの手段によって、挟持部材１１の側片１３の外面に固定されてもよい。あるいは、脚部材２０を挟持部材１１とは別部材で構成し、ボルト・ナットなどの締結具によって脚部材２０を組み付け固定するようにしてもよい。さらに、金属板を加工することによって脚部材２０を挟持部材１１と一体に構成してもよい。
【００３６】
図４および図６に示されるように、脚部材２０は、挟持部材１１の側片１３の外側に配置される固定片２１と、固定片２１から斜め下方に垂設された脚片２２と、脚片２２の下端から外側に向かって延設された載置片２３とを有する。
【００３７】
固定片２１と脚片２２との間に首片２４が形成され、首片２４の両側に、脚片２２の上端から左右一対の荷重支持片２５、２５が内側に向けて突設されている。固定片２１には、挟持部材１１のそれぞれの側片１３に形成された通孔１８に対応する位置に通孔２７が形成されている。
【００３８】
一対の脚部材２０、２０が挟持部材１１のそれぞれの側片１３、１３の外側に固定された状態では、脚部材２０、２０の脚片２２、２２は、挟持部材１１の側片１３、１３からハ字状になった状態で下方に向かって延びる。
【００３９】
上述した構成を有する改修金具１０を用いることによって、既存の折板屋根２は以下のように改修される。
【００４０】
屋根の下地材４の上面に、複数個の支持金具６が下地材４の桁方向（屋根の流れ方向と直交する方向）に固定されている。
【００４１】
図７（ａ）に示されるように、屋根の下地材４に固定された支持金具６の載置部７上に折板屋根材２の山部３２が載置されるように、複数枚の折板屋根材２が下地材４の上に配置される。支持金具６のボルト８に取り付けたパッキン、座金、ナットなどの締結具２６によって折板屋根材２がボルト８に固定され、このようにして既存の折板屋根材２が固定されている。
【００４２】
図７（ｂ）および図７（ｃ）に示されるように、既存の折板屋根材２の山部３２の上に屋根の改修金具１０を配置し、改修金具１０の荷重支持片２５を山部３２の上に載置すると共に、一対の突出片１４、１４の凹部１７、１７間にボルト８を配置する。同時に、改修金具の一対の脚部材２０、２０を山部３２の傾斜面上に載置する。
【００４３】
次に、挟持部材１１のそれぞれの側片１３の通孔１８にボルト１９を通し、側片１３を通過したボルト先端にナットを螺合することによって一対の突出片１４、１４間の間隔を狭めて、一対の突出片１４、１４の先端部でボルト８の外側を挟みこむ。この操作によって挟持部材１１をボルト８に固定することができる。
【００４４】
この固定方法によれば、挟持部材１１でボルト８を挟持するために、ボルト８に錆などが生じてタップ（ネジ溝）が形成されていない場合でも、挟持部材１１をボルト８に確実に固定することができる。
【００４５】
次に、図７（ｃ）に示されるように、挟持部材１１の上片１２から上方に突出した屋根取付部材１５を利用して、従来の方法と同様に、新設の屋根材３０を改修金具１０の上に固定する。
【００４６】
支持金具６の載置部７上に既存の屋根材２を介して改修金具１０の荷重支持片２５が載置されることによって、新設の屋根材３０にかかる荷重を荷重支持片２５を介して支持金具６の載置部７で支持することができる。
【００４７】
また、脚部材２０の脚片２２が既存の屋根材２の山部３２の傾斜面上に載置されることによって、改修金具１０の姿勢を安定化させることができる。
【００４８】
このようにして、既存の折板屋根を新設の折板屋根で覆うことによって、屋根を改修することができる。
【００４９】
なお、上述した実施形態では、屋根の改修金具１０は、さまざまな構成要素を含んでいるが、これらのすべての構成要素が必須であるわけではない。屋根の改修金具１０が挟持部材１１と屋根固定部材１５とを有する限り、ボルト８のタップ（ネジ溝）が機能しない場合でも、挟持部材１１がボルト８を挟むことによって改修金具１０をボルト８に確実に固定することができ、改修金具１０の屋根取付部材１５に新設の屋根材３０を固定することができるからである。
【００５０】
上述した実施形態では、挟持部材１１は、一枚の金属板を折り曲げ加工することによって、上片１２と、一対の側片１３と、一対の突出片１４とから構成される例を説明したが、挟持部材１１は、複数の部材から構成されてもよい。
【００５１】
また、上述した実施形態では、挟持部材１１を締結するための締結具１９として、ボルト、ナットを用いたが、これには限定されない。例えば、締結具１９は、通孔１８に係合し得る係合突起を備えた棒状部材であってもよい。この場合には、棒状部材の基部が一方の側片の通孔に係合し、棒状部材の先端に形成した係合突起を他方の側片の通孔に通すことによって係合突起が側片の通孔に係合するように棒状部材が構成される。締結具１９として、Ｕ字形のボルトおよびナットを用いることも可能である。
【００５２】
また、上述した実施形態では、支持金具６の棒状の突出部８として、ボルトの例を示したが、これに限定されない。例えば、支持金具６の棒状の突出部８は、元々ネジ溝を有していない単なる棒状部材であってもよい。
【００５３】
また、上述した実施形態では、既存の屋根材および／または新設の屋根材として、折板屋根材の例を説明したが、これに限定されない。例えば、折板屋根材以外の屋根材にも本発明を適用することが可能である。
【００５４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００５５】
本発明は、校舎、体育館、集会場、工場、倉庫等の屋根として採用されている既存の屋根材の上に新設の屋根材を設けるための屋根の改修金具を提供する。
【符号の説明】
【００５６】
２    既存の折板屋根材
４    屋根の下地材
６    支持金具
７    載置部
８    棒状の突出部
１０  改修金具
２０  脚部材
３０  新設の折板屋根材
【図１】
2015071876.tif 000003
【図２】
2015071876.tif 000004
【図３】
2015071876.tif 000005
【図４】
2015071876.tif 000006
【図５】
2015071876.tif 000007
【図６】
2015071876.tif 000008
【図７】
2015071876.tif 000009
【図８】
2015071876.tif 000010
【図９】
2015071876.tif 000011